(57)【要約】      （修正有）【課題】支柱と茎等の支持を片手で容易に行え、根及び茎等に傷をつけず、植物の成長を妨げない、また、支柱の径が異なる場合にも対応できる苗木支持具を提供する。【解決手段】支柱に苗木を支持させるための苗木支持具１０であって、一方の端部にらせん形状の苗木保持部２０を備え、他方の端部に少なくとも一つの開環状の支柱保持部３０を備え、前記苗木保持部２０のらせん形状が、平面視した場合に一巻き未満として苗木支持具を構成する。【選択図】図４
0003162438.tif 000002
【実用新案登録請求の範囲】
【請求項１】
支柱に苗木を支持させるための苗木支持具であって、
一方の端部にらせん形状の苗木保持部を備え、他方の端部に少なくとも一つの開環状の支柱保持部を備え、
前記苗木保持部のらせん形状が、平面視した場合に一巻き未満であることを特徴とする苗木支持具。
【請求項２】
請求項１に記載の苗木支持具と、
一方の端部を苗木の茎の側面に接触させた状態で他方の端部の下面に設けた突起を地表に突き刺すことで支柱の立設位置を決めることが可能な支柱用位置決め部材とを備えることを特徴とする苗木支持具キット。
【考案の詳細な説明】
【技術分野】
【０００１】
本考案は、苗木の茎、幹、枝等を支柱に支持させるための苗木支持具及び苗木支持具キットである。
【背景技術】
【０００２】
通常、野菜、果物、花、樹木等の苗木を栽培する際には根の部分を土中に埋め、そのそばに立てた支柱に茎、幹、枝等を紐で括りつけることで自立させて育成している。以下の説明においては苗木の茎、幹、枝等をまとめて「茎等」と表記する。
しかし、手作業で紐を支柱と茎等に括りつける作業は煩わしく手間がかかり、また、入念に括りつけた場合でも茎等が前後左右に揺れてしまうことから従来様々な苗木支持具が提案されている。
【０００３】
例えば図１２に示す苗木支持具はクリップ本体２に、Ω字状のバネ部材３を取り付け、摘み片６を握って保持片１１を開き、支柱３１を嵌入部２９に嵌入れ、次に保持片１１間に茎３０を導入することで、支柱に茎を支持させる構造になっている（特許文献１）。
また、図１３に示す苗木支持具は、弾性的に拡開可能な開環状の支柱保持部１と弾性的に拡径可能な一巻以上のコイル状の植物保持部３を備え、支柱Ｐを支柱保持部１に嵌め込み、植物Ｖの茎や幹に植物保持部３を巻き付けることで植物を支持する構造になっている（特許文献２）。
【先行技術文献】
【特許文献】
【０００４】
【特許文献１】特開平７−９９８４１号公報
【特許文献２】特開平９−１５４４１１号公報
【考案の概要】
【考案が解決しようとする課題】
【０００５】
しかし、上述した苗木支持具では以下のような問題がある。
すなわち、特許文献１に記載された苗木支持具では、保持片１１を開く際にバネ部材３の付勢作用に抗して摘み片６を握る必要があるため、例えば高齢者など作業者の握力が弱い場合には使用し辛いという問題がある。
また、支柱は自立性を高めるために金属やプラスチック樹脂等の比較的堅い材料で製造されると共に、土中深く埋められることが一般的であるため、前後左右方向への撓み量は少ない。したがって、例えば右手で摘み片６を握り、保持片１１を開いて嵌入部２９に支柱３１を嵌入した後、茎３０を２つの保持片１１の間に導入するためには、支柱３１自体の撓みが少ないため、左手で植物の茎３０を持ち、保持片１１の間に寄せてくる必要があり、作業者は両手を使用して苗木支持具を操作しなければならないという問題がある。
また、特許文献２に記載された苗木支持具では、コイル状の植物保持部３を弾性的に拡径させながら植物Ｖの茎等に巻き付ける必要がある。仮に右手で植物保持部を拡径させるものとすると、左手で茎を持ち、その茎に植物保持部を巻き付かせる必要があるため、やはり両手を使用して苗木支持具を操作しなければならないという問題がある。また、仮に右手で植物保持部を持った状態で植物保持部のスリット部に茎を当てがい、茎を押し込む力を利用して植物保持部を弾性的に拡径させていくものとすると、茎の表面に傷がついてしまうおそれがある。更に、茎に植物保持部がほぼ隙間なく巻き付くことになるので、植物の成長過程において茎が植物保持部を内側から押し広げる必要があり、成長の妨げになるおそれがある。
【０００６】
本考案は上記問題に鑑み、支柱と茎等の支持を片手で容易に行え、根及び茎等に傷をつけず、植物の成長を妨げない苗木支持具を提供することを目的とする。また、支柱の径が異なる場合にも対応できる苗木支持具を提供することを目的とする。更に、支柱を正確な位置に立設できる苗木支持具キットを提供することを目的とする。
【課題を解決するための手段】
【０００７】
本考案の苗木用支持具は、支柱に苗木を支持させるための苗木支持具であって、一方の端部にらせん形状の苗木保持部を備え、他方の端部に少なくとも一つの開環状の支柱保持部を備え、前記苗木保持部のらせん形状が、平面視した場合に一巻き未満であることを特徴とする。
また、本考案の苗木用支持具キットは、上記苗木支持具と、一方の端部を苗木の茎の側面に接触させた状態で他方の端部の下面に設けた突起を地表に突き刺すことで支柱の立設位置を決めることが可能な支柱用位置決め部材とを備えることを特徴とする。
【考案の効果】
【０００８】
本考案の苗木支持具を苗木の茎等の背面側から近づけていき、茎等を先端部と基端部の間に入れる。そして、苗木支持具を平面状態になるように時計回りに９０度回転させることで茎等を開口部内に保持する。ここで、苗木保持部のらせん形状を一巻き未満としていることから、苗木保持具を時計回りに９０度回転させる際に先端部が茎等の表面に接触して傷がつくことを防止できると共に、支柱と茎等の支持を片手で容易に行える。
また、支柱保持部を複数設け、各支柱保持部の直径を異ならせることにすれば、支柱の径が異なる場合にも適当な支柱保持部を利用することができる。
また、苗木保持部の内径を茎等の直径よりもわずかに大きくすることで、植物の成長過程において茎等の径が太くなった場合でも植物の成長の妨げになることを防止できる。
また、支柱保持部が開環状となっていることから、開いた部分に片手で支柱を押し込むだけで容易に支柱を保持できる。
また、支柱用位置決め部材を用いることで支柱を立設する際に根を傷つけることなく、正確な位置決めが可能となり、苗木支持具により確実に支柱と茎等を支持できる。
【図面の簡単な説明】
【０００９】
【図１】苗木支持具を示す平面図である。
【図２】苗木支持具を示す正面図である。
【図３】苗木支持具を示す背面図である。
【図４】苗木支持具を示す斜視図である。
【図５】苗木支持具の使用方法を示す図面である。
【図６】苗木支持具の使用方法を示す図面である。
【図７】苗木支持具の使用方法を示す図面である。
【図８】苗木支持具の使用方法を示す図面である。
【図９】苗木支持具の使用方法を示す図面である。
【図１０】支柱用位置決め部材を示す正面図である。
【図１１】苗木支持具の他の形態を示す平面図である。
【図１２】従来の苗木支持具を示す図面である。
【図１３】従来の苗木支持具を示す図面である。
【考案を実施するための形態】
【００１０】
図１〜４に示すように、本実施の形態に示す苗木支持具１０は苗木保持部２０と支柱保持部３０を備え、苗木保持部２０と支柱保持部３０は棒状の連結部４０により連結されている。
苗木保持部２０は苗木支持具１０の一方の端部に設けられるらせん形状の部材であって、プラスチック等の樹脂やアルミニウム等の金属で作られた板状の部材をらせん状に加工して作られている。
苗木保持部２０の中央には開口部２１が形成されており、この開口部２１の中に苗木の茎等を収める構造になっている。
図１の平面図に示すように苗木保持部２０のらせん形状は一巻き未満となっている。ここで「一巻き未満」とは、苗木支持具１０を平面視した場合に苗木保持部２０の先端部２２がその基端部２３にまで至らない状態を指す。また「基端部２３」とは苗木支持具１０を平面視した場合にらせん形状の苗木保持部２０が円弧を描き始める地点を指し、苗木保持部２０は基端部２３において連結部４０と連結する構造になっている。
【００１１】
苗木保持部２０の内径Ｄは茎等の直径よりもわずかに大きくなるように設定されており、これにより茎等の径が太くなった場合でも植物の成長の妨げになることを防止している。
【００１２】
支柱保持部３０は苗木支持具１０の他方の端部に設けられる開環状の部材であって、プラスチック等の樹脂やアルミニウム等の金属で作られた弾性を有する板状の部材を加工して作られている。
開環状の支柱保持部３０の中央には開口部３１が形成されており、この開口部３１の中に支柱５０（図９を参照）を収める構造になっている。
また、支柱保持部３０の両端から外側に向かって２つの凸部３２が設けられており、開口部３１の中に支柱５０を収める際にこの凸部３２がガイドとしての機能を果たすことでスムーズに支柱５０を収めることができる。
【００１３】
次に、苗木支持具１０の使用方法について説明する。
まず、図５に示すように、苗木保持部２０の開口部２１が左右方向に向くように苗木支持具１０を持つ。なお、以下の図５〜７では支柱保持部３０の図示を省略している。
次に、図６に示すように苗木の茎等の後方から前方（矢印で示す方向）に苗木支持具１０を近づけていき、図７に示すように茎等を先端部２２と基端部２３の間に入れる。上述の通り、苗木保持部２０のらせん形状を一巻き未満としていることから、茎等は先端部２２等に引っ掛かることなくスムーズに苗木保持部２０内に移動する。
【００１４】
そして、苗木支持具１０が平面状態になるように時計回り（図７に矢印で示す方向）に９０度回転させることで図８に示すように茎等を開口部２１内に保持することができる。ここで、苗木保持部２０のらせん形状を一巻き未満としていることから、苗木支持具１０を時計回りに９０度回転させる際に先端部２２が茎等の表面に接触して傷がつくことを防止できる。
そして、支柱保持部３０の凸部３２に支柱５０を当てがった状態で図８に示す矢印の方向に押し込むと、支柱保持部３０が弾性的に変形し、図９に示すように開口部３１内に支柱５０を収めることができる。このような凸部３２に支柱５０を当てがって押し込む動作は苗木支持具１０を持っているほうの手（例えば右手）で簡単に行うことができる。すなわち、本考案の苗木支持具１０によれば支柱５０に茎等を支持させる作業を片手で容易に行うことができる。
【００１５】
次に、苗木支持具キットについて説明する。
苗木支持具キットは上述した苗木支持具１０と図１０に示す支柱用位置決め部材６０とを備える。
支柱用位置決め部材６０は側面視した場合にほぼＬ字状の部材であり、プラスチック等の樹脂やアルミニウム等の金属で作られた板状の部材を加工して作られている。
【００１６】
支柱用位置決め部材６０の一方の端部には接触面６１が形成されており、他方の端部の下面には突起６２が形成されている。接触面６１から突起６２までの距離Ｌ１は、図１に示すように苗木支持具１０を平面視した場合に、苗木保持部２０の内面のうち最も支柱保持部３０に近い位置から支柱保持部３０の開口部３１の中心までの距離Ｌ２に一致するように設定されている。
したがって、地面に植えた状態の苗木の茎等の側面に支柱用位置決め部材６０の接触面６１を接触させた状態で突起６２を地表に突き刺し、この突き刺した位置を支柱５０の立設位置とすることで、苗木支持具１０により正確に支柱５０と茎等とを支持することが可能になる。
【００１７】
なお、支柱用位置決め部材６０を用いて支柱５０を立設する場合、先に植えてある苗木の根を傷つけない程度に離れた位置に支柱５０を立設するのが好ましい。例えばトマトやナスの苗木は合成樹脂製の簡易型の鉢（ポット）に植えられた状態でいわゆるポット苗として販売されていることが多く、このポットの半径が４センチ程度である場合には苗木から支柱５０の立設位置まで５センチ程度間隔をあけることで支柱５０によって根が傷つくのを防止できる。
【００１８】
なお、上記実施の形態では苗木支持具１０がその端部に一つの開環状の支柱保持部３０を備えるものとしたが、これに限らず、例えば図１１に示すように直径が異なる２つの支柱保持部７０を備えることにしてもよい。一般的に支柱５０は直径が８ミリ、１１ミリ、１６ミリ、２０ミリ等と複数種類存在するため、直径が異なる２つの支柱保持部７０を備えることで、使用する支柱５０の直径に合致する方の支柱保持部７０を利用することが可能となり、苗木支持具１０の汎用性を高めることができる。
また、苗木支持具１０が板状の部材から構成されるものとしたが、これに限らず、針金状の部材で構成してもよい。
また、苗木保持部２０が基端部２３から先端部２２に向かって上昇する状態で苗木を保持する場合について説明したが、基端部２３から先端部２２に向かって下降する状態で苗木を保持させてもよい。
【産業上の利用可能性】
【００１９】
支柱と茎等の支持を片手で容易にでき、根及び茎等に傷をつけず、成長を妨げず、支柱の立設を正確に行える苗木支持具及び苗木支持具キットであり、産業上の利用可能性を有する。
【符号の説明】
【００２０】
１０    苗木支持具
２０    苗木保持部
２１    開口部
２２    先端部
２３    基端部
３０    支柱保持部
３１    開口部
３２    凸部
４０    連結部
５０    支柱
６０    支柱用位置決め部材
７０    支柱保持部
【図１】
0003162438.tif 000003
【図２】
0003162438.tif 000004
【図３】
0003162438.tif 000005
【図４】
0003162438.tif 000006
【図５】
0003162438.tif 000007
【図６】
0003162438.tif 000008
【図７】
0003162438.tif 000009
【図８】
0003162438.tif 000010
【図９】
0003162438.tif 000011
【図１０】
0003162438.tif 000012
【図１１】
0003162438.tif 000013
【図１２】
0003162438.tif 000014
【図１３】
0003162438.tif 000015